(57)【要約】【課題】ディジタル変調方式を使用して送信機から受信機へ伝送対象となる信号を伝送する伝送装置を多段接続した伝送システムで、各段の受信状態を効果的に監視する。【解決手段】最終段以外の各段の伝送装置の受信機は、受信状態に関する情報を取得し、受信状態に関する情報と固有な識別情報を対応させて信号に含め、この信号を次段の伝送装置へ出力する。最終段の伝送装置の受信機は、受信状態に関する情報を取得し、受信状態に関する情報と固有な識別情報を対応させて信号に含める。例えば最終段では、各段の伝送装置における受信状態に関する情報を１画面を複数に分割して各段毎に表示し、また、受信状態が悪い場合にはその旨を示す情報を該当する段に対応した分割画面に表示する。【選択図】  図８
2010187045.tif 000002
【特許請求の範囲】
【請求項１】
ディジタル変調方式を使用して送信機から受信機へ伝送対象となる信号を伝送する伝送装置を多段接続した伝送システムにおいて、
最終段以外の各段の伝送装置の受信機は、当該各段の伝送装置の送信機から受信された信号の受信状態に関する情報を取得する受信状態取得手段と、前記受信状態取得手段により取得された受信状態に関する情報と固有な識別情報を対応させて前記信号に含めた信号を生成する信号生成手段と、前記信号生成手段により生成された信号を次段の伝送装置へ出力する信号出力手段を備え、
最終段の伝送装置の受信機は、当該最終段の伝送装置の送信機から受信された信号の受信状態に関する情報を取得する受信状態取得手段と、前記受信状態取得手段により取得された受信状態に関する情報と固有な識別情報を対応させて前記信号に含めた信号を生成する信号生成手段を備え、
更に、前記最終段の伝送装置の受信機の信号生成手段により生成された信号に基づいて各段の伝送装置における受信状態に関する情報を１画面を複数に分割して各段毎に表示する受信状態表示手段と、受信状態が所定の条件に基づいて悪いと判定した場合にその旨を示す情報を該当する段に対応した分割画面に表示する警告表示手段を、前記最終段の伝送装置の受信機又は当該受信機とは別の装置に設けた、
ことを特徴とする伝送システム。
【発明の詳細な説明】
【技術分野】
【０００１】
本発明は、画像や音声のデータの伝送システムに関し、例えば、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）変調方式やＱＡＭ（Ｑｕａｄｒａｔｕｒｅ  Ａｍｐｌｉｔｕｄｅ  Ｍｏｄｕｌａｔｉｏｎ）変調方式等のディジタル変調方式を用いた伝送システムに関する。
【背景技術】
【０００２】
例えば、テレビ放送では、ニュース報道やマラソン中継などの中継現場から放送局へテレビジョン信号を伝送するために、ＦＰＵ（Ｆｉｅｌｄ  Ｐｉｃｋｕｐ  Ｕｎｉｔ）と呼ばれる可搬型の中継装置や、ＴＳＬ（Ｔｒａｎｓｍｉｔｔｅｒ  Ｓｔｕｄｉｏ  Ｌｉｎｋ）と呼ばれる装置が用いられる。
ＦＰＵからの信号が、山頂等に設置されているＦＰＵ基地局で受信され、ＦＰＵ基地局からＴＳＬ装置と呼ばれる固定回線を使用して放送局まで伝送される構成が、一般的に用いられている。
【０００３】
図９には、従来例に係るディジタル変調方式による多段伝送の一例を行う画像データ伝送システムの構成例を示してある。
上述のように、画像や音声は、中継地点（例えば、中継現場にあるカメラ１）から、通常、山頂等に設置されている受信地点１まではＦＰＵ装置（送信機（ＴＸ）２及び受信機（ＲＸ）３で構成される装置）を使用して無線により送信され、受信地点１から受信地点２まではＴＳＬ回線（送信機４及び受信機５で構成される装置）を使用して無線により送信され、受信地点２から受信地点３まではＴＳＬ回線（送信機６及び受信機７で構成される装置）を使用して無線により送信され、受信地点３から受信地点４まではＴＳＬ回線（送信機８及び受信機９で構成される装置）を使用して無線により送信される。このように、受信地点１から最終伝送地点である受信地点４（例えば、放送局等）まではＴＳＬ回線を使用して伝送される。
【０００４】
図１０には、送信機２及び受信機３の構成例を示してある。
送信機２及び受信機３の動作例について詳細に説明する。
送信機２は、Ｉ／Ｆ（インターフェイス）部５１、画像（本例では、映像（画像）及び音声）符号化部５２、ディジタル変調部５３から構成される。ディジタル変調部５３は、符号化部６１、直交変調部６２から構成される。
受信機３は、ディジタル復調部７１、画像（本例では、映像（画像）及び音声）復号化部７２、Ｉ／Ｆ部７３、受信状態情報重畳部７４から構成される。ディジタル復調部７１は、直交復調部８１、復号化部８２から構成される。受信状態情報重畳部７４は、加算部９１、ＩＤ付加部９２から構成される。
【０００５】
送信機２の動作例を示す。
Ｉ／Ｆ部５１は、例えばカメラ１から、送信する映像信号や音声信号を受け、後段の画像符号化部５２に受け渡すために必要な処理を施す。
例えば、Ｉ／Ｆ部５１は、送信機２に入力される複数の映像及び音声信号から伝送する所望の信号へ切り替える機能を具備している。すなわち、ＮＴＳＣ等のアナログ映像信号やＨＤ−ＳＤＩ（Ｈｉｇｈ  Ｄｅｆｉｎｉｔｉｏｎ−Ｓｅｒｉａｌ  Ｄｉｇｉｔａｌ  Ｉｎｔｅｒｆａｃｅ）信号等のように、複数の映像信号からの切替操作や、アナログ音声やＡＥＳディジタル音声信号等のように、複数の音声信号からの切替操作を行う。
ここで、ＨＤ−ＳＤＩ信号とは、ＳＭＰＴＥ２９２Ｍ勧告で定められたディジタルビデオ信号の規格である。
【０００６】
上記のようにＩ／Ｆ部５１で必要な処理を施した映像及び音声の信号は画像符号化部５２へ出力され、画像符号化部５２において、ＭＰＥＧ２（Ｍｏｖｉｎｇ  Ｐｉｃｔｕｒｅ  Ｅｘｐｅｒｔｓ  Ｇｒｏｕｐ  ２）信号等へ圧縮処理が施され、ＴＳ（Ｔｒａｎｓｐｏｒｔ  Ｓｔｒｅａｍ）形式のディジタル信号へ変換され、ディジタル変調部５３に入力される。
ディジタル変調部５３は、符号化部６１と直交変調部６２に大別される。
符号化部６１は、伝送中におけるエラーによるデータの誤りを防止するためものであり、エネルギー拡散、畳み込み符号化、インターリーブ等の処理を適宜行い、その後、直交変調処理部６２で直交変調を施すことで、例えばＯＦＤＭ変調波信号を得る。このＯＦＤＭ変調波信号は、例えば、マイクロ波の帯域に高周波増幅され、送信アンテナを介して、受信機３へ送出される。
【０００７】
受信機３の動作例を示す。
送信機２から送られてきたＯＦＤＭ等のディジタル変調信号は、例えば受信アンテナを介して受信機３により受信されて、ディジタル復調部７１内において、直交復調部８１で復調され、復号化部８２でデインターリーブ、ビタビ復号等が行われて、ＴＳ信号として後段の画像復号化部７２へ出力される。
画像復号化部７２では、送信側で符号化された信号を復号化する。その後、Ｉ／Ｆ部７３を介して映像信号及び音声信号を出力する。
【０００８】
また、受信電界強度、妨害波の有無、ビットエラーレート等の受信状態情報が、ディジタル復調部７１により検出されてディジタル復調部７１から出され、同じくディジタル復調部７１から出力されるＴＳ信号と、受信状態情報重畳部７４において多重されて出力される。
受信状態情報重畳部７４では、ＴＳ信号のＮＵＬＬデータを中継箇所を特定するＩＤデータに置き換えて出力する。具体的には、加算部９１で受信状態情報とＴＳ信号を多重化（加算）し、その後、ＩＤ付加部９２によりＩＤデータを付加する。
また、他の送信機４、６、８や、他の受信機５、７、９についても、送信機２や受信機３と同様な構成を有しており、同様な動作を行う。
【０００９】
ところで、前述のＦＰＵ若しくはＴＳＬ装置を用いて中継現場から受信端である受信地点４まで、ＯＦＤＭ等のディジタル変調方式を使用して伝送する場合には、一般に、各受信地点１、２、３、４での受信状態を常時監視する必要がある。この理由は、アナログ伝送の場合には、伝送状態が悪くなると、受信画像のＳ／Ｎ（信号対雑音比）が次第に悪くなるため、受信画像から受信状態の把握が容易にできるのに対して、ディジタル伝送の場合には、受信状態が悪化しても、復調できる限界までＳ／Ｎの良い画像を受信できるため、受信状態の良し悪しを受信画像から把握することが難しいためである。
ディジタル伝送では、受信状態が悪くなり、復調できる限界を超えると、受信画像がフリーズ等を起こして突然絵が破綻する現象が発生するため、受信状態を把握することがディジタル変調による伝送では重要となる。
【００１０】
従って、中継地点から受信地点１までの間のＦＰＵ回線、受信地点１から受信地点４までのＴＳＬ回線の伝送状態を、例えば最終地点である放送局で常時監視する必要がある。前述したように、受信機３、５、７、９から出力されるＴＳ信号には中継段を特定するＩＤ及びそれぞれの受信状態情報が含まれている。ＩＤデータとしては、例えば、受信地点１においてはＩＤ０、受信地点２においてはＩＤ１、受信地点３においてはＩＤ２、受信地点４においてはＩＤ３、が付与されたＴＳ信号が出力される。
受信地点４にある受信状態情報選択装置１０１は、監視したい中継段のＩＤを選択することで、該当する受信状態情報を受信状態情報表示装置１０２を介してモニタ１０３等に表示することが可能である。
【００１１】
なお、特許文献１には、ディジタル通信の受信状況として、受信レベルと実際の受信限界レベルを図情報により表示し、これらの図情報の表示位置関係により受信レベルの余裕度を表すようにする技術が記載されている。
【先行技術文献】
【特許文献】
【００１２】
【特許文献１】特開２００８−１６０６６４号公報
【発明の概要】
【発明が解決しようとする課題】
【００１３】
上述のように、従来の画像データ伝送システムでは、受信端である放送局等で多段伝送における各中継地点の受信状態情報を監視する場合に、中継段においてＴＳ信号に重畳された中継段固有のＩＤ番号を選択することで、所望の受信状態情報を得ていた。
しかしながら、このような方法では、監視者が選択した情報のみを入手することしかできないため、各中継段の受信状態情報を入手して監視するためには、定期的に各中継段の受信状態情報を選択して監視する必要があった。
本発明は、このような従来の事情に鑑み為されたもので、多段伝送を行う場合に、各段の受信状態を効果的に監視することを可能とする伝送システムを提供することを目的とする。
【課題を解決するための手段】
【００１４】
上記目的を達成するため、本発明では、ディジタル変調方式を使用して送信機から受信機へ伝送対象となる信号を伝送する伝送装置を多段接続した伝送システムにおいて、次のような構成とした。
すなわち、最終段以外の各段の伝送装置の受信機では、受信状態取得手段が当該各段の伝送装置の送信機から受信された信号の受信状態に関する情報を取得し、信号生成手段が前記受信状態取得手段により取得された受信状態に関する情報と固有な識別情報を対応させて前記信号に含めた信号を生成し、信号出力手段が前記信号生成手段により生成された信号を次段の伝送装置へ出力する。
最終段の伝送装置の受信機では、受信状態取得手段が当該最終段の伝送装置の送信機から受信された信号の受信状態に関する情報を取得し、信号生成手段が前記受信状態取得手段により取得された受信状態に関する情報と固有な識別情報を対応させて前記信号に含めた信号を生成する。なお、必要であれば、最終段の伝送装置の受信機に、前記信号生成手段により生成された信号を外部（例えば、外部の装置）へ出力する信号出力手段を備える。
【００１５】
更に、前記最終段の伝送装置の受信機又は当該受信機とは別の装置に、次のような手段を設けた。なお、前記最終段の伝送装置の受信機と前記別の装置の両方に次のような手段が設けられてもよい。また、前記別の装置としては、種々な装置が用いられてもよく、例えば、前記最終段の伝送装置が存在する場所や他の場所などの任意の場所に設けられてもよい。
すなわち、前記最終段の伝送装置の受信機又は当該受信機とは別の装置では、受信状態表示手段が、前記最終段の伝送装置の受信機の信号生成手段により生成された信号に基づいて、各段の伝送装置における受信状態に関する情報を、１画面を複数に分割して各段毎に表示し、また、警告表示手段が、受信状態が所定の条件に基づいて悪いと判定した場合に、その旨を示す情報を、該当する段に対応した分割画面に表示する。
従って、多段伝送を行う場合に、各段の受信状態を効果的に監視することを可能とすることができる。
【００１６】
ここで、ディジタル変調方式としては、種々な方式が用いられてもよい。
また、送信機と受信機を有する伝送装置としては、種々なものが用いられてもよく、例えば、ＦＰＵ装置や、ＴＳＬ装置を用いることができる。
また、多段接続の段数としては、種々な数が用いられてもよい。
また、伝送対象となる信号としては、種々なものが用いられてもよく、例えば、映像（画像）と音声の一方又は両方の信号を用いることができる。
【００１７】
また、受信状態に関する情報としては、種々なものが用いられてもよく、例えば、受信品質に関する情報を用いることができる。
また、固有な識別情報（各段に固有な識別情報）としては、種々なものが用いられてもよく、例えば、番号の情報などを用いることができる。また、固有な識別情報（各段に固有な識別情報）としては、例えば、各段の伝送装置の受信機のメモリなどに予め設定されて記憶されている。
また、各段における受信状態に関する情報と固有な識別情報とを対応させる方法としては、種々なものが用いられてもよい。
【００１８】
また、１画面を複数に分割する場合における当該分割の数としては、種々な数が用いられてもよい。
また、例えば、１画面を全ての段数と同数だけ分割して一度に全ての段の受信状態に関する情報を１画面で表示する構成とすることが好ましいが、他の構成例として、例えば、段数が多いような場合には、１画面を一部の段数（全ての段数より少ない数）と同数だけ分割して、表示対象とする段を自動的に又は手動で何回か切り替えることによって、全ての段の受信状態に関する情報を表示するような構成が用いられてもよい。
また、受信状態に関する情報を表示する方法としては、種々なものが用いられてもよく、例えば、数値を用いて表示する方法や、図形やグラフなどを用いて表示する方法などを用いることができる。
【００１９】
また、受信状態が悪いと判定する場合に使用される所定の条件としては、種々なものが用いられてもよく、例えば、受信状態に関する情報に基づく受信品質についての閾値を予め設定しておいて、受信品質が当該閾値より低い（又は、当該閾値以下である）場合に、受信状態が悪いと判定するような条件を用いることができる。
また、受信状態が悪いと判定した旨を示す情報としては、種々なものが用いられてもよく、例えば、監視者（人）に対して警告をしたり注意を喚起したりするような情報を用いることができ、また、他の構成例として、表示と共に又は表示とは別に、警告音の出力などが行われてもよい。
【発明の効果】
【００２０】
以上説明したように、本発明に係る伝送システムによると、多段伝送を行う場合に、各段の受信状態を効果的に監視することを可能とすることができる。
【図面の簡単な説明】
【００２１】
【図１】本発明の一実施例に係る画像データ伝送システムの構成例を示す図である。
【図２】本発明の一実施例に係る受信状態情報４画面表示装置の構成例を示す図である。
【図３】受信状態情報１のデータをディジタル画像化したイメージの例を示す図である。
【図４】受信状態情報２のデータをディジタル画像化したイメージの例を示す図である。
【図５】受信状態情報３のデータをディジタル画像化したイメージの例を示す図である。
【図６】受信状態情報４のデータをディジタル画像化したイメージの例を示す図である。
【図７】受信状態情報を４画面表示化したものの一例を示す図である。
【図８】受信状態情報を４画面表示化したものの具体例を示す図である。
【図９】従来例に係る画像データ伝送システムの構成例を示す図である。
【図１０】送信機及び受信機の構成例を示す図である。
【発明を実施するための形態】
【００２２】
本発明に係る実施例を図面を参照して説明する。
図１には、本発明の一実施例に係るディジタル変調方式による多段伝送の一例を行う画像データ伝送システムの構成例を示してある。ここで、図１では、説明の便宜上から、図９に示されるものと同様なものについては同一の符号を付したが、本発明を不要に限定する意図は無い。
図１には、中継現場のカメラ１と送信機２、受信地点１の受信機３と送信機４、受信地点２の受信機５と送信機６、受信地点３の受信機７と送信機８、受信地点４の受信機９と受信状態情報４画面表示装置１０、受信地点４の放送局等にあるモニタ１１を示してある。
【００２３】
ここで、各送信機２、４、６、８や各受信機３、５、７、９の構成や動作としては、例えば、図１０に示されるものと同様である。
例えば、中継現場に置かれる送信機２は、従来例と同様に、送信機２に入力する映像及び音声について各種の処理を行うＩ／Ｆ部５１、画像符号化及びＴＳ信号への変換を行う画像符号化部５２、伝送中のエラーによるデータの誤りを防止するための符号化及び直交変調処理を施してＯＦＤＭ変調等のディジタル変調信号を生成するディジタル変調部５３から構成されている。ディジタル変調された信号は、例えばマイクロ波の帯域に高周波増幅され、送信アンテナを介して、受信機の側へ送出される。
【００２４】
また、例えば、受信機３は、従来例と同様に、送信機２から伝送されたディジタル変調信号を復調して復号化するディジタル復調部７１、画像の復号化を行う画像復号化部７２、映像及び音声の信号を出力するＩ／Ｆ部７３、ディジタル復調部７１により抽出した受信状態情報を同じくディジタル復調部７１から出力されるＴＳ信号に重畳する受信状態情報重畳部７４から構成されている。なお、例えば、ディジタル復調部７１に、映像及び音声を受信状態情報重畳部７４へ出力するための画像方式変換処理を施す画像方式変換部が設けられてもよい。
【００２５】
本例では、主に、受信状態情報の表示について詳しく説明する。
本例では、具体例として、１個の表示画面のモニタ１１を複数分割化（本例では、４分割化）して受信状態情報を複数画面表示（本例では、４画面表示）する方法について説明する。
受信端である受信機９から出力されるＴＳ信号には、その前段にある各中継段の受信状態情報の中継段を示す固有ＩＤ（本例では、ＩＤ０〜ＩＤ３）及び各中継段の受信状態情報が含まれている。
【００２６】
図２には、本発明の一実施例に係る受信状態情報４画面表示装置１０の構成例を示してある。
本例の受信状態情報４画面表示装置１０は、各受信地点１〜４（各ＩＤ０〜３）に対応したものとして４個の受信状態情報検出部２１〜２４と４個のフレームメモリ２５〜２８を備えており、また、書き込み制御部２９、読み出し制御部３０、Ｄ／Ａ（Ｄｉｇｉｔａｌ  ｔｏ  Ａｎａｌｏｇ）変換部３１を備えている。また、図２には、モニタ１１における各受信基地局（各受信地点１〜４）の受信状態情報の４画面表示４１の一例を示してある。
【００２７】
本例の受信状態情報４画面表示装置１０は、受信機９からのＴＳ信号から、各中継段における受信情報状態をモニタ１１の画面に４画面表示する。
本例の受信状態情報４画面表示装置１０により行われる動作例を詳しく説明する。
各受信状態情報検出部２１、２２、２３、２４は、それぞれ、各受信地点１、２、３、４における受信状態情報をＴＳ信号から個別に検出する回路である。また、各受信状態情報検出部２１〜２４は、検出した受信状態情報（そのデータ）を、その内容を表す所定のディジタル画像データに形成する機能も有している。また、各受信状態情報から形成された画像データは各フレームメモリ２５〜２８により記憶され、Ｄ／Ａ変換部３１により４画面化した映像データをＮＴＳＣ等のアナログ映像信号へ変換することが行われる。また、書き込み制御部２９はフレームメモリ２５〜２８の書き込み制御を行い、読み出し制御部３０はフレームメモリ２５〜２８の読み出し制御を行う。
【００２８】
ここで、図３、図４、図５、図６には、各ＩＤ０〜３の受信状態情報のデータをディジタル画像化（映像データ化）したイメージの例を示してある。本例では、１画面当たり、水平画素数が７２０本で、垂直走査線数が４８０本である画素数にした場合を示してある。
これらの画像データを４画面化する動作の一例について説明する。
４画面化を行うために、第１フレームメモリ２５、第２フレームメモリ２６、第３フレームメモリ２７、第４フレームメモリ２８に対して、書き込み及び読み出しの制御を実行することで処理する。
【００２９】
本例の書き込み制御では、水平方向の画像を１画素毎、垂直方向は１走査線毎に間引き処理を行いながら書き込みを行い、水平画素及び垂直走査線数を１／２化する。
すなわち、各受信状態情報検出部２１、２２、２３、２４からの出力画像データ（図３、図４、図５、図６に示されるもの）は、例えば、奇数番目の水平画素と走査線を各フレームメモリ２５、２６、２７、２８へ書き込みする場合には、（３６０×２４０）画素の画像データが記憶される。
【００３０】
これについて具体例を示す。
第１フレームメモリ２５、第２フレームメモリ２６、第３フレームメモリ２７、第４フレームメモリ２８について、同様な書き込み制御が行われる。
図３に示されるものに対して、ＩＤ０に対応した第１フレームメモリ２５の記憶データは、間引かれて、次のようになる。
１走査線目：Ａ１＿１、Ａ３＿１、・・・、Ａ７１９＿１  ・・（１）
２走査線目：Ａ１＿３、Ａ３＿３、・・・、Ａ７１９＿３  ・・（２）
・・・
２４０走査線目：Ａ１＿４７９、Ａ３＿４７９、・・・、Ａ７１９＿４７９  ・・（３）
【００３１】
図４に示されるものに対して、ＩＤ１に対応した第２フレームメモリ２６の記憶データは、間引かれて、次のようになる。
１走査線目：Ｂ１＿１、Ｂ３＿１、・・・、Ｂ７１９＿１  ・・（４）
２走査線目：Ｂ１＿３、Ｂ３＿３、・・・、Ｂ７１９＿３  ・・（５）
・・・
２４０走査線目：Ｂ１＿４７９、Ｂ３＿４７９、・・・、Ｂ７１９＿４７９  ・・（６）
【００３２】
図５に示されるものに対して、ＩＤ２に対応した第３フレームメモリ２７の記憶データは、間引かれて、次のようになる。
１走査線目：Ｃ１＿１、Ｃ３＿１、・・・、Ｃ７１９＿１  ・・（７）
２走査線目：Ｃ１＿３、Ｃ３＿３、・・・、Ｃ７１９＿３  ・・（８）
・・・
２４０走査線目：Ｃ１＿４７９、Ｃ３＿４７９、・・・、Ｃ７１９＿４７９  ・・（９）
【００３３】
図６に示されるものに対して、ＩＤ３に対応した第４フレームメモリ２８の記憶データは、間引かれて、次のようになる。
１走査線目：Ｄ１＿１、Ｄ３＿１、・・・、Ｄ７１９＿１  ・・（１０）
２走査線目：Ｄ１＿３、Ｄ３＿３、・・・、Ｄ７１９＿３  ・・（１１）
・・・
２４０走査線目：Ｄ１＿４７９、Ｄ３＿４７９、・・・、Ｄ７１９＿４７９  ・・（１２）
【００３４】
次に、読み出し制御について説明する。
まず、第１フレームメモリ２５に記憶されている第１走査線分の画素、すなわち前記（１）式を読み出し、その後、第２フレームメモリ２６に記憶されている第１走査線分、すなわち前記（４）式を読み出すことで、４画面表示の１走査線分の読み出しを行う。
同様に、前記（２）式、前記（５）式、・・・のように、フレームメモリに記憶されている１走査線毎に読み出すフレームメモリを切り替える。
また、第１フレームメモリ２５、第２フレームメモリ２６に記憶されている画像データの読み出しが終了した後に、同様な動作で、第３フレームメモリ２７、第４フレームメモリ２８に記憶されている画像データの読み出しを行う。
【００３５】
上述のようなフレームメモリ２５〜２８の書き込み動作、読み出し動作を行うことで、受信状態情報の４画面化を行うことができる。
図７には、受信状態情報を４画面表示化したもの（図３〜図６に対応したもの）の一例を示してある。
図８には、各中継段（受信地点１〜４）における受信状態情報を４画面表示した具体例を示してある。１個の画面が４個に分割されて、それぞれの分割画面にそれぞれの受信地点１〜４における受信状態の情報が模式的に表示されている。
【００３６】
また、例えば、図８に示される受信地点１の分割画面のように、受信状態情報検出部２１〜２４からの受信状態情報（受信状況のデータ）をＣＰＵ（Ｃｅｎｔｒａｌ  Ｐｒｏｃｅｓｓｉｎｇ  Ｕｎｉｔ：図示を省略）に取り込むことで、（例えば、所定の閾値と比べて）受信状態が悪くなった場合に、４画面表示上の該当する受信状況表示にアラーム（図８に示される例では、「ＷＡＲＮＩＮＧ！！」という文字やその周囲の色付き枠）を表示させることも可能である。
【００３７】
なお、この４画面表示の内容の情報は、例えば、受信機９の外部出力端子又は受信機９本体の操作パネル上のモニタ画面へ出力する構成とすることも可能である。
以上のように、受信状況を４画面にて表示することにより、多段接続時の各受信地点における受信状況の全体を放送局等の受信端にて一目で監視することを可能とすることができる。また、受信状態が悪くなった場合には、４画面表示上の該当する中継段の受信状況表示にアラーム表示を行うことができる。
【００３８】
ところで、図８に示されるように、本例の４画面表示の構成では、画面左上を受信地点１、画面右上を受信地点２、画面左下を受信地点３、画面右下を受信地点４としている。
前述したように、第１フレームメモリ２５、第２フレームメモリ２６、第３フレームメモリ２７、第４フレームメモリ２８の読み出し手順は、前記（１）式、前記（４）式、・・・、前記（３）式、前記（６）式のようにして、受信地点１と受信地点２の受信状態情報の読み出しを終える。
【００３９】
このため、受信地点１の受信状態情報が更新されるのは、（７）式、（１０）式、・・・、（９）式、（１２）式の順で第３フレームメモリ２７、第４フレームメモリ２８の読み出しを終えてからとなるが、本例では、受信状態が悪くなった中継段が発生した場合には、フレームメモリの読み出し手順を変えて、該当する受信状態情報の更新頻度を高くする。
【００４０】
具体的には、図１０に示されるように、受信地点１における受信状態情報が悪くなった場合には、第１フレームメモリ２５、第２フレームメモリ２６、第１フレームメモリ２５、第２フレームメモリ２６、第３フレームメモリ２７、第４フレームメモリ２８、第１フレームメモリ２５、第２フレームメモリ２６、・・・というように、読み出し手順を変更して、受信地点１のデータ更新頻度を高くするようにする。
これにより、状況の悪い段間の情報については、重量比率を向上させて、高頻度に更新を行うことができる。
【００４１】
以上のように、本例の画像データ伝送システム（ディジタル伝送システム）では、ＯＦＤＭ方式やＱＡＭ方式等のディジタル変調方式により映像、音声を伝送する伝送装置を多段接続構成とする際に、各受信地点における受信状態情報（例えば、伝送品質を示す情報である、受信電界強度、妨害波の有無、反射波の有無、ビットエラーレート（ＢＥＲ）等の情報）を固有のＩＤ情報と共に後段の伝送路に伝達する機能を有する伝送装置において、最終の受信地点で、各伝送路の受信状態を同時に監視することを可能とした。
また、本例では、伝送路の最終受信地点において各受信地点の受信状態情報を抽出し、各受信状態情報を４分割等して複数画面表示することで、各中継地点の受信状態を同時に監視することを可能とした。
また、本例では、各伝送路の受信状態を監視し、伝送状態が悪化した場合には、視覚的にモニタに警告表示する。
【００４２】
このように、本例では、ＦＰＵやＴＳＬの表示装置（例えば受信端にある受信装置等に接続された装置）において、受信機から出力されるＴＳ信号中の各中継段固有のＩＤから各中継段の受信状態情報を識別して抽出し、モニタを４分割して表示し、また、受信状態が悪くなると警告表示を行うことができる。これにより、受信状態が悪くなった場合には、該当する中継段の受信状態情報画面に警告表示を行うことで、即座に受信中断にならないように対処することが可能となる。
【００４３】
従って、本例の画像データ伝送システムでは、多段中継時の各中継点における受信状態情報を同時に監視することが可能となり、また、受信状態が悪くなった際には、表示画面に警告表示をすることで、監視者が視覚的に伝送状態を確認することを可能とすることができる。
【００４４】
なお、図１に示されるように、本例の画像データ伝送システムでは、送信機２と受信機３から構成される伝送装置や、送信機４と受信機５から構成される伝送装置や、送信機６と受信機７から構成される伝送装置や、送信機８と受信機９から構成される伝送装置が多段に接続されて、カメラ１により取得される映像及び音声の信号の多段伝送が行われている。
また、図１０に示されるように、本例の受信機３、５、７、９では、ディジタル復調部７１に設けられた受信状態に関する情報を取得する機能により受信状態取得手段が構成されており、受信状態情報重畳部７４が受信状態に関する情報と各段（本例では、各受信地点１〜４）に固有な識別情報（本例では、ＩＤ０〜３）を対応させて含めたＴＳ信号を生成する機能により信号生成手段が構成されており、受信状態情報重畳部７４により生成されたＴＳ信号を出力する機能により信号出力手段が構成されている。
また、図２に示される本例の受信状態情報４画面表示装置１０では、モニタ１１の１画面を複数に分割して各段毎に受信状態に関する情報を表示する機能により受信状態表示手段が構成されており、受信状態が悪い段については対応する分割画面にアラームを表示する機能により警告表示手段が構成されている。
【００４５】
ここで、本発明に係るシステムや装置などの構成としては、必ずしも以上に示したものに限られず、種々な構成が用いられてもよい。また、本発明は、例えば、本発明に係る処理を実行する方法或いは方式や、このような方法や方式を実現するためのプログラムや当該プログラムを記録する記録媒体などとして提供することも可能であり、また、種々なシステムや装置として提供することも可能である。
また、本発明の適用分野としては、必ずしも以上に示したものに限られず、本発明は、種々な分野に適用することが可能なものである。
また、本発明に係るシステムや装置などにおいて行われる各種の処理としては、例えばプロセッサやメモリ等を備えたハードウエア資源においてプロセッサがＲＯＭ（Ｒｅａｄ  Ｏｎｌｙ  Ｍｅｍｏｒｙ）に格納された制御プログラムを実行することにより制御される構成が用いられてもよく、また、例えば当該処理を実行するための各機能手段が独立したハードウエア回路として構成されてもよい。
また、本発明は上記の制御プログラムを格納したフロッピー（登録商標）ディスクやＣＤ（Ｃｏｍｐａｃｔ  Ｄｉｓｃ）−ＲＯＭ等のコンピュータにより読み取り可能な記録媒体や当該プログラム（自体）として把握することもでき、当該制御プログラムを当該記録媒体からコンピュータに入力してプロセッサに実行させることにより、本発明に係る処理を遂行させることができる。
【符号の説明】
【００４６】
１・・カメラ、  ２、４、６、８・・送信機、  ３、５、７、９・・受信機、  １０、受信状態情報４画面表示装置、  １１、１０３・・モニタ、  Ｐ１〜Ｐ４・・受信地点、  ２１〜２４・・受信状態情報検出部、  ２５〜２８・・フレームメモリ、  ２９・・書き込み制御部、  ３０・・読み出し制御部、  ３１・・Ｄ／Ａ変換部、  ４１・・各受信基地局受信状態情報４画面表示、  ５１、７３・・Ｉ／Ｆ部、  ５２・・画像符号化部、  ５３・・ディジタル変調部、  ６１・・符号化部、  ６２・・直交変調部、  ７１・・ディジタル復調部、  ７２・・画像復号化部、  ７４・・受信状態情報重畳部、  ８１・・直交復調部、  ８２・・復号化部、  ９１・・加算部、  ９２・・ＩＤ付加部、  １０１・・受信状態情報選択装置、  １０２・・受信状態情報表示装置、
【図１】
2010187045.tif 000003
【図２】
2010187045.tif 000004
【図３】
2010187045.tif 000005
【図４】
2010187045.tif 000006
【図５】
2010187045.tif 000007
【図６】
2010187045.tif 000008
【図７】
2010187045.tif 000009
【図８】
2010187045.tif 000010
【図９】
2010187045.tif 000011
【図１０】
2010187045.tif 000012